(57)【要約】【課題】  炭受け部をスライドさせることができ、しかも炭受け部を引き出しすぎて落下させることがないので、炭の追加を簡単かつ安全に行うことができる。炭受け部の落下を防止するためのスライド規制機構が収納時のスペースの増大を招かない。【解決手段】  グリル本体１００と、グリル本体１００に着脱自在に取り付けられる平面視略矩形状の上面が開放された炭受け部２００とを備え、炭受け部２００の対向する縁部にはフランジ部２１０が設けられ、グリル本体１００にはフランジ部２１０が係止されるガイド部１３０が設けられ、炭受け部２００はガイド部１３０に沿ってスライド可能になっている。炭受け部２００のスライド量を規制するスライド規制機構として、ガイド部１３０には切込部１３４が、フランジ部２１０には切込部１３４に嵌まり込む突起部２４０がそれぞれ設けられている。【選択図】      図１
2010252823.tif 000002
【特許請求の範囲】
【請求項１】
グリル本体と、このグリル本体に着脱自在に取り付けられる平面視略矩形状の少なくとも上面が開放された炭受け部とを具備しており、前記炭受け部の対向する縁部にはフランジ部が設けられており、前記グリル本体には前記フランジ部が係止されるガイド部が設けられており、前記炭受け部はガイド部に沿ってスライド可能になっているバーベキューグリルにおいて、前記ガイド部とフランジ部との間には、炭受け部のスライド量を規制するスライド規制機構が設けられていることを特徴とするバーベキューグリル。
【請求項２】
前記スライド規制機構は、前記ガイド部に設けられた切込部と、この切込部に嵌まり込み、かつ前記フランジ部に設けられた突起部とを有しており、突起部が切込部の端部に接触することで炭受け部のスライド量が規制されることを特徴とする請求項１記載のバーベキューグリル。
【請求項３】
前記スライド規制機構は、前記フランジ部に設けられた切込部と、この切込部に嵌まり込み、かつ前記ガイド部に設けられた突起部とを有しており、突起部が切込部の端部に接触することで炭受け部のスライド量が規制されることを特徴とする請求項１記載のバーベキューグリル。
【発明の詳細な説明】
【技術分野】
【０００１】
本発明は、アウトドアで使用するバーベキューグリルに関する。
【背景技術】
【０００２】
この種のバーベキューグリルには、『少なくとも上面部が開放された炭受け部と、この炭受け部が取り付けられるフレームとを具備しており、前記炭受け部は、炭受け部の縁部に形成された下向きの受け溝にフレームの一部が嵌まり込むことでフレームに取り付けられることを特徴とする』ものがある（特開２００３−０６１８３２）。
【０００３】
この種のバーベキューグリルでは、フレームに炭受け部をカバーするようにして焼き網や鉄板が重ねられる。このため、炭受け部に炭を追加する場合には、一旦、焼き網や鉄板をフレームから取り外す必要があった。
しかしながら、焼き網や鉄板は加熱されているため非常に熱くなっているため、炭の追加は火傷の危険を伴う作業であった。また、焼き網や鉄板のの上には調理中の肉や野菜等の食材が載っているので、それらを落下させないように注意しながら行わなければならないため、よけいに火傷の危険性が高くなっている。
【０００４】
本願発明者は、かかる問題を解消するために、特願２００８−１７４８５６において、炭の追加を簡単かつ安全に行うことができるバーベキューグリルを提案した。
【０００５】
本願発明者が新たに提案した特願２００８−１７４８５６におけるバーベキューグリルは、炭受け部をグリル本体に対してスライド可能にしたものである。すなわち、炭受け部をスライドさせてもグリル本体に載っている焼き網や鉄板等は動かないため、簡単かつ安全に炭の追加ができるようになっているのである。
しかも、このバーベキューグリルでは、スライドさせられた炭受け部がグリル本体から脱落することを防止するため、炭受け部のほぼ中央部に安全手段の一部としての焼き網や鉄板等には届かない長さのガード棒を立設している。炭受け部をスライドさせた場合に、ガード棒がグリル本体の一部に接触することでスライドを規制し、炭受け部がグリル本体から脱落しないようにしているのである。
【０００６】
【特許文献１】特開２００３−０６１８３２
【特許文献２】特願２００８−１７４８５６
【発明の開示】
【発明が解決しようとする課題】
【０００７】
しかしながら、本願発明者が新たに提案した特願２００８−１７４８５６におけるバーベキューグリルでは、炭受け部のほぼ中央部にガード棒を立設した構成としているため、炭受け部の上端部からガード棒の先端が突出する構成となり、ガード棒のほんの少しの突出が収納に要するスペースの増大を招いている。
また、立設されたガード棒が炭受け部の使用後の洗浄の際の邪魔になるという問題もある。
さらに、ガード棒が何らかの外力によって曲がってしまい、その結果、炭受け部のスライドを規制できなくなっているにもかかわらず、その事実を知らない使用者がスライドが規制されると信じて炭受け部をスライドさせて落下させるという事態も起こり得る。特に、ガード棒が長いため、知らず知らずのうちに曲がってしまい、かかる事態が起こることも考えられる。
【０００８】
本発明は、上記事情に鑑みて創案されたもので、炭受け部をスライドさせてもグリル本体から落下しないようにスライド量を規制し、かつ収納時のスペース拡大も招かず、洗浄等の邪魔にもならず、知らず知らずのうちに炭受け部のスライドを規制しないように変形するおそれも少ないバーベキューグリルを提供することを目的としている。
【課題を解決するための手段】
【０００９】
本発明に係るバーベキューグリルは、グリル本体と、このグリル本体に着脱自在に取り付けられる平面視略矩形状の少なくとも上面が開放された炭受け部とを備えており、前記炭受け部の対向する縁部にはフランジ部が設けられており、前記グリル本体には前記フランジ部が係止されるガイド部が設けられており、前記炭受け部はガイド部に沿ってスライド可能になっているバーベキューグリルであって、前記ガイド部とフランジ部との間には、炭受け部のスライド量を規制するスライド規制機構が設けられている。
しかも、前記スライド規制機構は、前記ガイド部に設けられた切込部と、この切込部に嵌まり込み、かつ前記フランジ部に設けられた突起部とを有しており、突起部が切込部の端部に接触することで炭受け部のスライド量が規制されるようになっている。
【発明の効果】
【００１０】
本発明に係るバーベキューグリルは、炭受け部をスライドさせることができ、しかも炭受け部を引き出しすぎて落下させることがないので、炭の追加を簡単かつ安全に行うことができる。
しかも、炭受け部の落下を防止するためのスライド規制機構が、炭受け部のフランジ部の突起部と、グリル本体のガイド部の切込部という比較的小さな構成要素から構成されているため、スライド規制手段が設けられていないバーベキューグリルと比較して収納時のスペースの増大を招かないし、バーベキューグリルの使用後の洗浄の際の邪魔になるという問題もない。
さらに、突起部は比較的小さいので変形するおそれが少ないため、従来のガード棒のように知らず知らずのうちに変形し、そのための炭受け部の落下という事故が発生するおそれを小さくすることができる。
【発明を実施するための最良の形態】
【００１１】
図１は本発明の実施の形態に係るバーベキューグリルの概略的分解斜視図、図２は本発明の実施の形態に係るバーベキューグリルの概略的側面図である。
【００１２】
本発明の実施の形態に係るバーベキューグリルＡは、グリル本体１００と、このグリル本体１００に着脱自在に取り付けられる平面視略矩形状の少なくとも上面が開放された炭受け部２００とを備えており、前記炭受け部２００の対向する縁部にはフランジ部２１０が設けられており、前記グリル本体１００には前記フランジ部２１０が係止されるガイド部１３０が設けられており、前記炭受け部２００はガイド部１３０に沿ってスライド可能になっているバーベキューグリルであって、前記ガイド部１３０とフランジ部２１０との間には、炭受け部２００のスライド量を規制するスライド規制機構が設けられている。
【００１３】
前記グリル本体１００は、パイプ材を折曲、接続して構成した略ロ字形状のベース部１１０と、パイプ材を折曲、接続して構成した略凹字形状の２つの脚部１２０と、金属板材を折曲、接続して構成した一対のガイド部１３０とを有している。
【００１４】
前記ベース部１１０は、パイプ材を折曲した２つの略凹字形状のベース凹字部材１１１と、このベース凹字部材１１１を接続する２本のパイプ材からなるベース中間部材１１２とから構成されている（なお、図１ではベース中間部材１１２は１本のみ見えている）。これらを接続することでロ字形状のベース部１１０が構成されるのである。ベース凹字部材１１１はベース部１１０の短辺を、ベース部中間部材１１２はベース部１１０の長辺をそれぞれ形作っている。
【００１５】
また、前記脚部１２０は、パイプ材を折曲した略凹字形状の脚部凹字部材１２１と、この脚部凹字部材１２１の終端に接続されるパイプ材からなる脚部連結部材１２２とを有している。前記脚部凹字部材１２１が、ベース部材１１０とボルト１４０等で連結されることで、ベース部材１１０に脚部１２０が取り付けれらるのである。前記脚部凹字部材１２１は、ベース部１１０の長辺より若干長く設定されている。
【００１６】
前記脚部連結部材１２２は、バーベキューグリルＡの高さを調節するものであって、図１に示すものは使用者が立った状態で使用するタイプであり、２本４組の合計８本の脚部連結部材１２２が使用されている。脚部連結部材１２２を使用しない場合、すなわち脚部凹字部材１２１のみで脚部１２０とする場合は、バーベキューグリルＡをテーブルの上に載置等して使用する場合である。
【００１７】
前記ガイド部１３０は、帯状の金属板材を長手方向に折曲して、略樋状としたものである。このガイド部１３０は、上辺部１３１と下辺部１３２とが中間部１３３によって連結されて、端面からみると略コ字形状に形成されている。なお、中間部１３３の幅寸法は、脚部１２０の脚部凹字部材１２１を構成するパイプ材の太さ寸法より大きく設定されている。
【００１８】
かかるガイド部１３０は、上辺部１３１が、上側に位置するベース部材１１０のベース中間部材１１２と、下側に位置する脚部１２０の脚部凹字部材１２１との間に挟まれた状態でグリル本体１００に取り付けられる。かかる状態でベース部材１１０のベース中間部材１１２と、ガイド部材１３０の上辺部１３１と、脚部１２０の脚部凹字部材１２１とがボルト１４０によって連結される。ガイド部１３０の中間部１３３の幅寸法は、脚部１２０の脚部凹字部材１２１を構成するパイプ材の太さ寸法より大きく設定されているので、ガイド部１３０の下辺部１３２と脚部１２０の脚部凹字部材１２１との間には隙間が形成されている。
【００１９】
さらに、ガイド部１３０の下辺部１３２には図１に示すような切込部１３４が形成されている。この切込部１３４は、後述する炭受け部２００のフランジ部２１０に設けられた突起部２４０とでスライド規制機構を構成する。
前記切込部１３４は、炭受け部２００のスライド量の約２倍の長さに設定されている。かかる切込部１３４は、一対のガイド部１３０に同様に形成されている。
【００２０】
一方、炭受け部２００は、金属板材を折曲、接続して平面視略矩形状の薄皿状に形成したものであって、両側面２２０は逆台形状に形成されている。このため、正面側及び背面側は下り傾斜面となっている。正面の上縁部及び背面の上縁部、すなわち対向する縁部にはフランジ部２１０が設けられている。このフランジ部２１０が、前記ガイド部１３０に係止されることによって、炭受け部２００がスライド可能にグリル本体１００に取り付けられる。
【００２１】
なお、この炭受け部２００には、底面部２３０から若干浮くようになった金属製のロストル（図示省略）が設けられる。このロストルは、炭が載置されるものであって、炭が燃えた灰を炭受け部２００の底面部２３０に落とすためのものである。
【００２２】
また、この炭受け部２００のフランジ部２１０の長手方向の中央部分には、前記切込部１３４とともにスライド規制機構を構成する突起部２４０が下向きに突設されている。この突起部２４０は、ガイド部１３０に炭受け部２００をスライド可能に設置した場合、切込部１３４に嵌まり込むものである。
【００２３】
このように構成すると、炭受け部２００をスライドさせると、突起部２４０が切込部１３４の内部を移動し、突起部２４０が切込部１３４の端部に接触すると、炭受け部２００のスライドは終了する。すなわち、炭受け部２００のスライド量が規制されることになる。このため、炭受け部２００をスライドさせて引き出しても、突起部２４０と切込部１３４の端部とが接触し、スライドを中断させる。このため、炭受け部２００を引き出しすぎて落下させるという事故を未然に防止することができる。
【００２４】
突起部２４０はフランジ部２１０の長手方向の中央部分に設けられているため、炭受け部２００は長手方向のいずれの側にも同じだけスライドさせることができる。従って、バーベキューグリルＡの使用する際の周囲の状況や炭の消費量に応じてのぞみの方向にスライドさせることができるので使い勝手がよい。
【００２５】
なお、使用後の炭受け部２００を洗浄等のためにガイド部１３０から完全に引き出すためには、炭受け部２００を若干浮き上がらせて、切込部１３４とから突起部２４０を外して行う。
【００２６】
なお、グリル本体１００にセットされる焼き網や鉄板３００は、グリル本体１００のベース部１１０とほぼ同一サイズに設定されており、食材を加熱する加熱面３１０が一段と落ち込み、すなわち周縁部がベース部１１０を構成するパイプ材の太さ分だけ一段と盛り上がった状態に形成されている（図１参照）。しかも、グリル本体１００のロ字形状のベース部１１０が脚部１２０の上側に位置しているため、鉄板３００をベース部１１０に載置すると、周縁部から一段と落ち込んだ加熱面３１０がロ字形状のベース部１１０の内側に位置するので、鉄板３００は安定的にグリル本体１００にセットされる。すなわち、鉄板３００は、ロ字形状に形成されたベース部１１０に載せるだけで、安定的にグリル本体１００にセットされることになる。
【００２７】
バーベキューを行っている間に炭を追加する場合には、炭受け部２００をガイド部１３０に沿ってスライドさせ、鉄板３００の下から引き出す。この状態で炭を追加する。炭が追加できたならば、炭受け部２００を元の位置、すなわち鉄板３００の下にスライドさせて戻す。
【００２８】
かかるバーベキューグリルＡであると、上述のように炭受け部２００をスライドさせることができ、しかも炭受け部２００を引き出しすぎて落下させることがないので、炭の追加を簡単かつ安全に行うことができる。
しかも、炭受け部２００の落下を防止するためのスライド規制機構が、炭受け部２００のフランジ部２１０の突起部２４０と、グリル本体１００のガイド部１３０の切込部１３４という比較的小さな構成要素から構成されているため、スライド規制手段が設けられていないバーベキューグリルと比較して収納時のスペースの増大を招かないし、バーベキューグリルＡの使用後の洗浄の際の邪魔になるという問題もない。
さらに、突起部２４０は比較的小さいので変形するおそれが少ないため、従来のガード棒のように知らず知らずのうちに変形し、そのための炭受け部２００の落下という事故が発生するおそれを小さくすることができる。
【００２９】
なお、上述した実施の形態では、スライド規制手段を構成する突起部２４０、切込部１３４をガイド部１３０、炭受け部２００にそれぞれ設けたが、逆に切込部を炭受け部のフランジ部に、それに嵌まり込む突起部をグリル本体のガイド部にそれぞれ設けてもよいことはいうまでもない。
【図面の簡単な説明】
【００３０】
【図１】本発明の実施の形態に係るバーベキューグリルの概略的分解斜視図である。
【図２】図２は本発明の実施の形態に係るバーベキューグリルの概略的側面図である。
【符号の説明】
【００３１】
１００    グリル本体
１３０    ガイド部
１３４    切込部
２００    炭受け部
２１０    フランジ部
２４０    突起部
【図１】
2010252823.tif 000003
【図２】
2010252823.tif 000004